(57)【要約】【課題】電子書籍の読書間隔が大きく開いた場合でも、前回までの内容を容易に理解でき、再開ページからの読書の理解に役立つ電子書籍表示装置等を提供する。【解決手段】電子書籍Ｍを表示可能な表示手段５へ電子書籍データが表示されたときの表示履歴が所定範囲毎に記憶手段１７に保存される。表示手段５に前回読書時の続きの電子書籍データを表示させる際に、前記表示履歴に基づいて、所定範囲毎に作成された情報量の異なる複数の要約データのうち、いずれかの要約データが選択され、表示手段５に表示される。【選択図】  図５
2013003804.tif 000002
【特許請求の範囲】
【請求項１】
自装置内または自装置外の第１の記憶手段から、該記憶手段に記憶されている電子書籍データと、前記電子書籍データの所定範囲毎に作成された情報量の異なる複数の要約データを読み出す読み出し手段と、
前記電子書籍データを表示する表示手段と、
前記表示手段へ前記電子書籍データが表示されたときの表示履歴を所定範囲毎に、前記第１の記憶手段と同一のまたは異なる第２の記憶手段に保存させる表示履歴保存制御手段と、
前記表示手段に前回読書時の続きの電子書籍データを表示させる際に、前記電子書籍データの表示履歴に基づいて、情報量の異なる前記複数の要約データのうち、いずれかの要約データを選択する選択手段と、
前記選択手段により選択された要約データを、ユーザーの指示に基づいてまたはユーザーの指示に基づくことなく前記表示手段に表示する表示制御手段と、
を備えたことを特徴とする電子書籍表示装置。
【請求項２】
前記電子書籍データの所定範囲はページ単位である請求項１に記載の電子書籍表示装置。
【請求項３】
前記表示履歴は表示時間であり、前記表示制御手段は、表示時間が一定値を下回る場合には要約データを表示しない請求項１または２に記載の電子書籍表示装置。
【請求項４】
前記表示履歴は表示日時であり、前記選択手段は、表示日時が古いほど情報量の多い要約データを選択する請求項１〜３のいずれかに記載の電子書籍表示装置。
【請求項５】
前記表示履歴は表示時間であり、前記選択手段は、表示時間が長いほど情報量の少ない要約データを選択する請求項１〜３のいずれかに記載の電子書籍表示装置。
【請求項６】
前記表示履歴は表示回数であり、前記選択手段は、表示回数が多いほど情報量の少ない要約データを選択する請求項１〜３のいずれかに記載の電子書籍表示装置。
【請求項７】
前記第１の記憶手段または第２の記憶手段に、電子書籍の所定範囲と他の範囲との関連性を示すテーブルが記憶されており、前記選択手段は、前記表示手段に表示される前回読書時の続きの範囲と関連性の高い範囲の有無を前記テーブルに基づいて判断し、関連性の高い範囲については情報量の多い要約データを選択する請求項１〜６のいずれかに記載の電子書籍表示装置。
【請求項８】
前記表示制御手段は、ユーザーが表示手段に表示された電子書籍データのうちマーキングを施した箇所があれば、前記要約データの表示とともにあるいは表示に代えて前記マーキング個所を表示する請求項１〜７のいずれかに記載の電子書籍表示装置。
【請求項９】
要約データの表示をユーザ操作によりキャンセルするための操作手段を有する請求項１〜８のいずれかに記載の電子書籍表示装置。
【請求項１０】
ユーザーが全て読み終えた電子書籍データを再読する場合には、前記表示制御手段は、過去の読書での未読部分の有無に関係なく、全範囲の要約データを表示する請求項１〜９のいずれかに記載の電子書籍表示装置。
【請求項１１】
ユーザーが各範囲毎に表示手段に表示させる要約データを設定可能な設定手段を備えている請求項１０に記載の電子書籍表示装置。
【請求項１２】
自装置内または自装置外の第１の記憶手段から、該記憶手段に記憶されている電子書籍データと、前記電子書籍データの所定範囲毎に作成された情報量の異なる複数の要約データを読み出す読み出しステップと、
前記電子書籍データを表示手段に表示するステップと、
前記表示手段へ前記電子書籍データが表示されたときの表示履歴を所定範囲毎に、前記第１の記憶手段と同一のまたは異なる第２の記憶手段に保存させる表示履歴保存制御ステップと、
前記表示手段に前回読書時の続きの電子書籍データを表示させる際に、前記電子書籍データの表示履歴に基づいて、情報量の異なる前記複数の要約データのうち、いずれかの要約データを選択する選択ステップと、
前記選択ステップにおいて選択された要約データを、ユーザーの指示に基づいてまたはユーザの指示に基づくことなく前記表示手段に表示する表示制御ステップと、
を備えたことを特徴とする電子書籍表示装置における要約データの表示制御方法。
【請求項１３】
自装置内または自装置外の第１の記憶手段から、該記憶手段に記憶されている電子書籍データと、前記電子書籍データの所定範囲毎に作成された情報量の異なる複数の要約データを読み出す読み出しステップと、
前記電子書籍データを表示手段に表示するステップと、
前記表示手段へ前記電子書籍データが表示されたときの表示履歴を所定範囲毎に、前記第１の記憶手段と同一のまたは異なる第２の記憶手段に保存させる表示履歴保存制御ステップと、
前記表示手段に前回読書時の続きの電子書籍データを表示させる際に、前記電子書籍データの表示履歴に基づいて、情報量の異なる前記複数の要約データのうち、いずれかの要約データを選択する選択ステップと、
前記選択ステップにおいて選択された要約データを、ユーザーの指示に基づいてまたはユーザの指示に基づくことなく前記表示手段に表示する表示制御ステップと、
を電子書籍表示装置のコンピュータに実行させるための要約データの表示制御プログラム。
【発明の詳細な説明】
【技術分野】
【０００１】
この発明は、例えば本や雑誌等の電子書籍データを表示する電子書籍ビューアのような各種表示端末等に用いられる電子書籍表示装置、同装置における要約データの表示制御方法及び表示制御プログラムに関する。
【背景技術】
【０００２】
一般に、この種の装置として、表示部に表示された例えば分かり難い文章に対して、その意味を直接、画面中に表示するようにしたものが知られている。
【０００３】
また、表示中の文章について、注釈記号で詳細情報が別に表示できるようにしたり、あるいは、単語にリンクを設定してポップアップ表示するように構成したものもある。
【０００４】
また、従来、文書の検索を行う際に、検索結果とともに要約を表示する技術（例えば特許文献１）や、文章を受け取ってからの時間の経過とともに要約比率を小さくする技術（例えば特許文献２）や、文章中における通常部分、要約部分、キーワード部分の表示を変更可能に構成し、文書の大意やキーワードを読んだ人が簡単に原文中の位置を把握できるようにした技術（例えば特許文献３）が、提案されている。
【先行技術文献】
【特許文献】
【０００５】
【特許文献１】特開平０７−１２９６０５号公報
【特許文献２】特開平０８−２４１３３４号公報
【特許文献３】特開平０９−０１６６２５号公報
【発明の概要】
【発明が解決しようとする課題】
【０００６】
ところで、一般に、電子書籍、紙本に関係なく読書は一冊を１日で読み終えることは希であり、とくに、小説等では何日もかけて読むことが多い。そのような状況では、読書間隔が大きく開くと、途中まで読んだ本の内容を忘れてしまいやすく、読書再開時に読み終えていたページを読み返さなければならず、煩わしい。
【０００７】
また、たとえ従来のように、文章に注釈を付けるような手段があったとしても、読書の間隔が日数的に長くなると、前回までに読み終えた文中の内容、例えば複数の登場人物の関係等が分からなくなった場合等の手助けにはならない。
【０００８】
さらにまた、特許文献１〜３のように、要約を表示したり、通常部分、要約部分、キーワードの表示を切り替え可能にしたものでも、読書間隔が大きく開いて前回までに読み終えた内容を忘れてしまった場合には、あまり有用ではない。
【０００９】
この発明は、上記実情に鑑みてなされたものであり、電子書籍の読書間隔が大きく開いた場合でも、前回までの内容を容易に理解でき、再開ページからの読書の理解に役立つ電子書籍表示装置及び同装置における要約データの表示制御方法を提供し、さらに前記表示制御方法を電子書籍表示装置のコンピュータに実行させるための表示制御プログラムを提供することを課題とする。
【課題を解決するための手段】
【００１０】
上記課題は以下の手段によって解決される。
（１）自装置内または自装置外の第１の記憶手段から、該記憶手段に記憶されている電子書籍データと、前記電子書籍データの所定範囲毎に作成された情報量の異なる複数の要約データを読み出す読み出し手段と、前記電子書籍データを表示する表示手段と、前記表示手段へ前記電子書籍データが表示されたときの表示履歴を所定範囲毎に、前記第１の記憶手段と同一のまたは異なる第２の記憶手段に保存させる表示履歴保存制御手段と、前記表示手段に前回読書時の続きの電子書籍データを表示させる際に、前記電子書籍データの表示履歴に基づいて、情報量の異なる前記複数の要約データのうち、いずれかの要約データを選択する選択手段と、前記選択手段により選択された要約データを、ユーザーの指示に基づいてまたはユーザーの指示に基づくことなく前記表示手段に表示する表示制御手段と、を備えたことを特徴とする電子書籍表示装置。
（２）前記電子書籍データの所定範囲はページ単位である前項１に記載の電子書籍表示装置。
（３）前記表示履歴は表示時間であり、前記表示制御手段は、表示時間が一定値を下回る場合には要約データを表示しない前項１または２に記載の電子書籍表示装置。
（４）前記表示履歴は表示日時であり、前記選択手段は、表示日時が古いほど情報量の多い要約データを選択する前項１〜３のいずれかに記載の電子書籍表示装置。
（５）前記表示履歴は表示時間であり、前記選択手段は、表示時間が長いほど情報量の少ない要約データを選択する前項１〜３のいずれかに記載の電子書籍表示装置。
（６）前記表示履歴は表示回数であり、前記選択手段は、表示回数が多いほど情報量の少ない要約データを選択する前項１〜３のいずれかに記載の電子書籍表示装置。
（７）前記第１の記憶手段または第２の記憶手段に、電子書籍の所定範囲と他の範囲との関連性を示すテーブルが記憶されており、前記選択手段は、前記表示手段に表示される前回読書時の続きの範囲と関連性の高い範囲の有無を前記テーブルに基づいて判断し、関連性の高い範囲については情報量の多い要約データを選択する前項１〜６のいずれかに記載の電子書籍表示装置。
（８）前記表示制御手段は、ユーザーが表示手段に表示された電子書籍データのうちマーキングを施した箇所があれば、前記要約データの表示とともにあるいは表示に代えて前記マーキング個所を表示する前項１〜７のいずれかに記載の電子書籍表示装置。
（９）要約データの表示をユーザ操作によりキャンセルするための操作手段を有する前項１〜８のいずれかに記載の電子書籍表示装置。
（１０）ユーザーが全て読み終えた電子書籍データを再読する場合には、前記表示制御手段は、過去の読書での未読部分の有無に関係なく、全範囲の要約データを表示する前項１〜９のいずれかに記載の電子書籍表示装置。
（１１）ユーザーが各範囲毎に表示手段に表示させる要約データを設定可能な設定手段を備えている前項１０に記載の電子書籍表示装置。
（１２）自装置内または自装置外の第１の記憶手段から、該記憶手段に記憶されている電子書籍データと、前記電子書籍データの所定範囲毎に作成された情報量の異なる複数の要約データを読み出す読み出しステップと、前記電子書籍データを表示手段に表示するステップと、前記表示手段へ前記電子書籍データが表示されたときの表示履歴を所定範囲毎に、前記第１の記憶手段と同一のまたは異なる第２の記憶手段に保存させる表示履歴保存制御ステップと、前記表示手段に前回読書時の続きの電子書籍データを表示させる際に、前記電子書籍データの表示履歴に基づいて、情報量の異なる前記複数の要約データのうち、いずれかの要約データを選択する選択ステップと、前記選択ステップにおいて選択された要約データを、ユーザーの指示に基づいてまたはユーザの指示に基づくことなく前記表示手段に表示する表示制御ステップと、を備えたことを特徴とする電子書籍表示装置における要約データの表示制御方法。
（１３）自装置内または自装置外の第１の記憶手段から、該記憶手段に記憶されている電子書籍データと、前記電子書籍データの所定範囲毎に作成された情報量の異なる複数の要約データを読み出す読み出しステップと、前記電子書籍データを表示手段に表示するステップと、前記表示手段へ前記電子書籍データが表示されたときの表示履歴を所定範囲毎に、前記第１の記憶手段と同一のまたは異なる第２の記憶手段に保存させる表示履歴保存制御ステップと、前記表示手段に前回読書時の続きの電子書籍データを表示させる際に、前記電子書籍データの表示履歴に基づいて、情報量の異なる前記複数の要約データのうち、いずれかの要約データを選択する選択ステップと、前記選択ステップにおいて選択された要約データを、ユーザーの指示に基づいてまたはユーザの指示に基づくことなく前記表示手段に表示する表示制御ステップと、を電子書籍表示装置のコンピュータに実行させるための要約データの表示制御プログラム。
【発明の効果】
【００１１】
前項（１）に記載の発明によれば、表示手段に電子書籍データを表示させると、電子書籍データの表示履歴が所定範囲毎に保存される。表示手段に前回読書時の続きの電子書籍データを表示させる際に、前記電子書籍データの表示履歴に基づいて、電子書籍データの所定範囲毎に作成された情報量の異なる複数の要約データのうち、いずれかの要約データが選択され、この選択された要約データが、ユーザーの指示に基づいてまたはユーザーの指示に基づくことなく、前記表示手段に表示される。
【００１２】
つまり、利用者が読書再開時に、前回読書時の続きの範囲が表示される前に、文書書籍データの表示履歴、換言すればユーザーの読書状況に基づいて、情報量の異なる複数の要約データの中の最適な要約データが表示されるので、例えば読書再開までにかなり日数が経過しているような場合は情報量の多い要約データを表示することで、前回読み終えた内容を忘れかけていた場合でも、表示された要約を読むことにより、前回読んだ部分の内容が直ぐに分かり、読み返したりする手間も要らず、電子書籍の続きを順調に読み進めることができる。一方、読書再開までに日数が経過していない場合は情報量の少ない要約を表示することで、ユーザーが知悉している内容が詳細に表示されることによる煩雑さを回避することができる。
【００１３】
前項（２）に記載の発明によれば、ページ単位で複数の要約データの中から最適な要約データが表示される。
【００１４】
前項（３）に記載の発明によれば、表示時間が短い電子書籍データのデータ範囲については、要約データが表示されないから、単なるページ送りのような場合に、その範囲についての要約が表示されるのを防止できる。
【００１５】
前項（４）に記載の発明によれば、表示日時が古い電子書籍データのデータ範囲については、ユーザーが既読内容を忘れている可能性が高いので、情報量の多い要約データを表示することでその内容を思い出すことができ、次の読書に役立つことになる。
【００１６】
前項（５）に記載の発明によれば、表示時間が長いほど既読内容についてユーザーの興味や関心が高く、よく覚えていると判断されるため、情報量の少ない要約データを表示する。
【００１７】
前項（６）に記載の発明によれば、表示回数が多いほど既読内容についてユーザーの興味や関心が高く、よく覚えていると判断されるため、情報量の少ない要約データを表示する。
【００１８】
前項（７）に記載の発明によれば、読書再開時に表示手段に表示される範囲と関連性の高い範囲については、情報量の多い要約データを表示することで、ユーザは次の読書の内容をより理解することができる。
【００１９】
前項（８）に記載の発明によれば、前記要約データの表示とともにあるいは表示に代えて、ユーザーが表示手段に表示された電子書籍データのうちマーキングを施した箇所が表示されるから、読書再開時にユーザは自己が関心をもった部分を直ぐに認識できる。
【００２０】
前項（９）に記載の発明によれば、ユーザーは操作手段の操作により要約データの表示をキャンセルすることができる。
【００２１】
前項（１０）に記載の発明によれば、ユーザーが全て読み終えた電子書籍を再読する場合には、過去の読書での未読部分の有無に拘わらず、全範囲の要約データが表示されるので、再読時に電子書籍の内容を速やかに理解できる。
【００２２】
前項（１１）に記載の発明によれば、ユーザーは電子書籍データの範囲毎に、情報量の異なる要約を表示させるように設定することができる。
【００２３】
前項（１２）に記載の発明によれば、利用者が読書再開時に、前回読書時の続きの範囲が表示される前に、文書書籍データの表示履歴、換言すればユーザーの読書状況に基づいて、電子書籍データの所定範囲毎に作成された情報量の異なる複数の要約データの中の最適な要約が表示されるので、例えば読書再開までにかなり日数が経過しているような場合は情報量の多い要約データを表示することで、前回読み終えた内容を忘れかけていた場合でも、表示された要約を読むことにより、前回読んだ部分の内容が直ぐに分かり、読み返したりする手間も要らず、電子書籍の続きを順調に読み進めることができる。一方、読書再開までに日数が経過していない場合は情報量の少ない要約データを表示することで、ユーザーが知悉している内容が詳細に表示されることによる煩雑さを回避することができる。
【００２４】
前項（１３）に記載の発明によれば、表示手段に電子書籍データを表示させると、電子書籍データの表示履歴を所定範囲毎に保存し、表示手段に前回読書時の続きの電子書籍データを表示させる際に、前記電子書籍データの表示履歴に基づいて、電子書籍データの所定範囲毎に作成された情報量の異なる複数の要約データのうち、いずれかの要約データを選択し、この選択した要約データを、ユーザーの指示に基づいてまたはユーザーの指示に基づくことなく、前記表示手段に表示する処理を、電子書籍表示装置のコンピュータに実行させることができる。
【図面の簡単な説明】
【００２５】
【図１】この発明の一実施形態に係る電子書籍表示装置の電気的構成を示すブロック図である。
【図２】電子書籍データの構成の説明図である。
【図３】読書再開時に既に読み終えたページについての要約データの状況を説明するための図である。
【図４】読み終えたページまでの要約データの表示の確認を利用者に求めるための画面である。
【図５】電子書籍データの読書再開指示がユーザーによってなされた時に実行される処理を示すフローチャートである。
【図６】ページ原稿の表示履歴を示すテーブルである。
【図７】電子書籍データの表示履歴に応じて複数種類の要約データの中から最適な要約データを選択する例の説明図である。
【図８】電子書籍データの各ページ間の関連を示すテーブルである。
【図９】電子書籍データの一部にユーザーがマーキングを施した状態を示す図である。
【図１０】要約データの表示を途中でキャンセルするための操作画面図である。
【図１１】電子書籍の全体について要約データを表示するか否かの確認を行うための確認画面を示す図である。
【図１２】電子書籍データの所定範囲毎に、要約データを表示するか否かを設定するための設定画面を示す図である。
【発明を実施するための形態】
【００２６】
次に、この発明の実施形態を図面に基づいて説明する。
【００２７】
図１は、この発明の一実施形態に係る電子書籍表示装置（電子書籍ビューワともいう）の電気的構成を示すブロック図である。
【００２８】
図１において、この電子書籍ビューワは、ＣＰＵ１と、ＲＡＭ２と、ＲＯＭ３と、ブリッジ４と、表示部５と、ＬＣＤコントローラ６と、操作パネル７と、タッチパネル制御部８と、グラフィックアクセラレータ１１と、メモリ１２と、ブルートゥース（Bluetooth）モジュール１３と、無線ＬＡＮコントローラ１４と、メモリカード１５が着脱可能に接続されるメモリカードインターフェース（メモリカードＩ／Ｆ）１６と、記憶部１７等を備えている。
【００２９】
前記ＣＰＵ１は、電子書籍ビューワの全体動作を統括制御するが、この実施形態では特に次のような制御を行う。即ち、メモリカード１５や記憶部１７等に記憶・保持されている小説等の電子書籍データを読み取って表示部５に表示させるとともに、電子書籍データが表示されたときの表示履歴を所定範囲、例えばページ単位毎に記憶部１７あるいはメモリカード１５に保存させる。また、表示部５に前回読書時の続きの電子書籍データを表示させる際に、電子書籍データの表示履歴に基づいて、情報量の異なる複数の要約データのうち、いずれかの要約データを選択し、選択した要約データを、ユーザーの指示に基づいてまたはユーザーの指示に基づくことなく表示部５に表示させる等の制御を行うが、詳細は後述する。
【００３０】
前記ＲＡＭ２は、ＣＰＵ１が動作する際の作業領域を提供するものであり、ＲＯＭ３は、ＣＰＵ１の動作プログラムを格納するメモリである。これらＣＰＵ１、ＲＡＭ２およびＲＯＭ３は、それぞれブリッジ４を介してバス１０に接続されている。
【００３１】
前記表示部５は、メモリカード１５や記憶部１７等から読み出された電子書籍データを表示するものであり、例えばＥＬ素子あるいはこの例のような液晶表示装置（ＬＣＤ）で構成されており、表示部５を駆動制御するＬＣＤコントローラ６を介して前記バス１０に接続されている。
【００３２】
前記操作パネル７は、表示部５と共にユーザーが各種操作入力を行うためのタッチパネルを構成するものであり、該タッチパネルを駆動制御するタッチパネル制御部８を介して前記バス１０に接続されている。この操作パネル７に表示された電子書籍データの文中に、ユーザーがマーキングを施した場合（例えば図９に示すように、ラインＬを引いた場合）、ＣＰＵ１はマーキングの座標を検出して文書中のどこにマーキングが施されたかを検知し、検知したデータをメモリカード１５や記憶部１７等に記憶させる。
【００３３】
前記グラフィックアクセラレータ１１は、グラフィックの処理機能を増強するための回路ボードであり、メモリ１２が接続されている。
【００３４】
前記ブルートゥースモジュール１３は、ブルートゥースによる無線通信部であり、また、前記無線ＬＡＮコントローラ１４は、種無線ＬＡＮで接続された各種の外部機器との通信を制御するものである。
【００３５】
前記メモリカードＩ／Ｆ１６は、着脱可能に接続されるメモリカード１５のインターフェース部である。メモリカード１５には、小説等の各種文書を電子化した電子書籍データと、該データに付加されているページ毎の要約データを保存可能である。
【００３６】
前記記憶部１７は、例えばハードディスク装置（ＨＤＤ）等からなり、電子書籍データや要約データ、電子書籍データのページ単位での表示履歴やマーキング箇所のデータ等、各種のデータを保存可能となされている。
【００３７】
これらグラフィックアクセラレータ１１、ブルートゥースモジュール１３、無線ＬＡＮコントローラ１４、メモリカードＩ／Ｆ１６、記憶部１７も、それぞれ前記バス１０に接続されている。
【００３８】
図２は、電子書籍データ（単に電子書籍ともいう）Ｍの構成例を示す説明図である。
【００３９】
図２において、この電子書籍Ｍは、複数のページ原稿Ｐ（Ｐ１，Ｐ２，Ｐ３・・・）から構成されており、これら複数のページ原稿Ｐ（Ｐ１，Ｐ２，Ｐ３・・・）には、当該ページ原稿Ｐの記載内容を要約した要約データ（ダイジェスト原稿または単にダイジェストともいう）Ｄが複数種類予め作成されている。この実施形態では、３種類のダイジェスト原稿ＤＡ，ＤＢ，ＤＣが作成されている。
【００４０】
ダイジェスト原稿Ｄ（ＤＡ，ＤＢ，ＤＣ）が各ページ原稿Ｐ（Ｐ１，Ｐ２，Ｐ３・・・）毎に複数種類存在する理由は、ユーザーの読書状態に応じて効果的なダイジェスト原稿の表示（ダイジェスト表示ともいう）を行うためである。
【００４１】
この実施形態では、複数のダイジェスト原稿ＤＡ，ＤＢ，ＤＣは、それぞれ集約度が異なるものとなされており、図２に示すように、ＤＡ，ＤＢ，ＤＣの順で集約度が高くなっており、従ってＤＡ，ＤＢ，ＤＣの順で情報量は少なくなっている。
【００４２】
図３は、ダイジェスト表示例の説明図である。
【００４３】
図３の左部は、表示された電子書籍Ｍをユーザーが最初に読む場合を示し、ユーザーが該書籍Ｍを全部読み終えるまでの間、その時々の読み終えたページ原稿Ｐのページ情報を表示履歴の一つとして記憶部１７に保存していく。なお、ここでいう「読み終えたページ原稿の情報」とは、当該ページ原稿Ｐをいつ読み終えたのタイムスタンプ（日時）のことである。
【００４４】
ユーザーがページ原稿Ｐを読んだかどうかの判断は、
ページＰの表示時間（注１）≧しきい値（注２）
の式により行われる。上式において、（注１）は、ぺージ原稿Ｐの表示時間でページ原稿表示開始〜次（他）ページ原稿表示までの時間であり、（注２）のしきい値は、当該ページ原稿Ｐの文字数×０．０６秒である。一般的に、人が文字を読む速度は、１分間に５００〜１０００文字と言われており、仮に１０００文字とした場合、１文字あたり０．０６秒となる。なお、０．０６秒は、ユーザーによって変更可能となされている。
【００４５】
図３の右部は、ユーザーが読書を再開した時のダイジェスト表示例を示す。
【００４６】
図３右部に示すように、ユーザーが前回までに読み終えた内容のダイジェスト原稿Ｄの表示を希望する場合、前回読書時からの続きのページ原稿Ｐを表示する前に、記憶部１７に記憶されている前回までに読み終えたページ情報を基に、記憶部１７やメモリカード１５に記憶されている既読各ページのダイジェスト原稿が表示部５に表示される。その後、ダイジェスト原稿Ｄの表示を終了し、続けて、読書を再開するページ原稿Ｐを表示部５に表示する。なお、ダイジェスト原稿ＤＡ、ＤＢ、ＤＣのうちのいずれを表示させるかは、記憶部１７に記憶された表示履歴に基づいて判断されるが、この点については後述する。
【００４７】
図４は、ユーザーにより読書再開指示がなされた時に、既に読み終えたページについて、ダイジェスト原稿Ｄの表示を行うか否かをユーザーに確認するための、表示部５に表示される確認画面Ｗを示す。
【００４８】
図４において、確認画面Ｗには、「前回読書時までのダイジェストを表示しますか？」のメッセージと、ユーザーがダイジェスト原稿Ｄの表示を望むか否かを選択するための「はい」ボタンＹと「いいえ」ボタンＮが表示されている。「はい」ボタンＹが押されると、ダイジェスト原稿が表示される。「いいえ」ボタンＮが押されると、ダイジェスト原稿が表示されることなく、前回読書の続きのページ原稿Ｐが表示される。
【００４９】
なお、ダイジェスト原稿Ｄを表示させるか否かをユーザに指示させることなく、ダイジェスト原稿Ｄを自動的に表示させる構成としても良い。
【００５０】
図５は、電子書籍Ｍの読書開始指示がユーザーによりなされた時に実行される処理を示す示すフローチャートである。この処理は、電子書籍ビューワのＣＰＵ１がＲＯＭ３等に記録された動作プログラムに従って動作することにより実行される。
【００５１】
図５において、ユーザーにより読書開始の指示操作がなされると、ステップＳ１では、過去に読んだことがある電子書籍Ｍか否かを判断し、過去に読んだことがある電子書籍Ｍでなければ（ステップＳ１でＮＯ）、ステップＳ８に進む。
【００５２】
過去に読んだことがある電子書籍Ｍであれば（ステップＳ１でＹＥＳ）、ステップＳ２では、前回読み終えたページ原稿Ｐのページ情報を記憶部１７等から取得し、ステップＳ３で、前回読み終えたページ原稿Ｐまでのダイジェスト原稿Ｄをメモリカード１５や記憶部１７から読み出して、ステップＳ４に進む。
【００５３】
ステップＳ４では、「前回読書時までのダイジェストを表示しますか？」のメッセージを含む確認画面Ｗ（図４）を表示部５に表示する処理を行う。
【００５４】
ステップＳ５では、ダイジェス原稿Ｄを表示するのか否かをユーザーの操作に基づいて判断し、ダイジェス原稿Ｄを表示しないのであれば（ステップＳ５でＮＯ）、ステップＳ７に進む。ダイジェス原稿Ｄを表示するのであれば（ステップＳ５でＹＥＳ）、ステップＳ６では、集約度（情報量）の異なる３種類のダイジェス原稿ＤＡ、ＤＢ、ＤＣのうちのいずれか最適なダイジェス原稿を選択して表示したのち、ステップＳ７に進む。
【００５５】
ステップＳ７では、前回読み終えたページ原稿Ｐの次ページ原稿Ｐから本編の表示を再開し、ステップＳ８では本編を表示部５の画面Ｗに表示し、ステップＳ９では本編の表示を終了する。ステップＳ１０では、読み終えたページ原稿Ｐのページ情報を記憶部１７等に保存したのち、処理を終了する。
【００５６】
このように、ユーザーが前回読書時の続きのページ原稿Ｐを読み始めるにあたって、前回読書時に読み終えたページのダイジェスト原稿Ｄの表示を要求すれば、前回読書時の続きのページ原稿が表示される前に、ダイジェスト原稿Ｄが表示されるので、ユーザーは読書間隔が大きく開いて、前回読み終えたページ原稿Ｐの内容を忘れかけていた場合でも、表示されたダイジェス原稿Ｄを読むことにより、前回読書した部分を読み返したりしなくても直ぐに理解でき、続きのページ原稿Ｐ以降を順調に読み続けることができる。
【００５７】
図６は、読み終えて記憶されるページ情報の例を示す記憶テーブルである。
【００５８】
図６においては、各ページ番号毎のページ情報として、最近読んだ（表示した）日付、時刻（時：分：秒）、表示時間（時間：分：秒）、読んだ回数（累計）が示されている。
【００５９】
例えば、ページ番号２０では、最近読んだ日付が２０１０年９月３０日、時刻が９時３０分２０秒、表示時間が３分３０秒、読んだ回数（累計）が３となっている。なお、ユーザーがそのページを読んだか否かは、前述した式により判定される。
【００６０】
前述したように、各ページ原稿Ｐのダイジェスト原稿Dは、集約度が異なる複数種類が存在する。この実施形態では、図６に示すページ情報を基に、各ページＰの複数種類のダイジェスト原稿ＤＡ，ＤＢ，ＤＣのうち、いずれのダイジェスト原稿を表示させるかを、次に示す基準で選択・決定している。
（１）前回読んだ日付が古ければ古い程、ユーザーが内容を忘れている可能性が高いので、集約度の低い（情報量の多い）ダイジェスト原稿Ｄ（例えばダイジェスト原稿ＤＣ）を採用する。
（２）前回読んだ際に、じっくりと長く時間をかけて読んだページ原稿Ｐ（ページ原稿Ｐの表示時間が長い）程、ユーザーの興味・関心が高く、内容をよく覚えていると判断し、集約度の高い（情報量の少ない）ダイジェスト原稿Ｄ（例えばダイジェスト原稿ＤＡ）を採用する。
（３）これまでにユーザーが読んだ回数が多いページ原稿程、ユーザーの興味・関心が高く、内容をよく覚えていると判断し、集約度の高い（情報量の少ない）ダイジェスト原稿Ｄ（例えばダイジェスト原稿ＤＡ）を採用する。
【００６１】
上記（１）についてさらに具体的に説明すれば、図７に示すように、前回読んだ日付が古い順で、例えば１か月前に読んだページ原稿Ｐ、１週間前に読んだページ原稿Ｐ、３日前に読んだページ原稿Ｐのそれぞれに、デフォルトとして集約度の最も高いダイジェスト原稿ＤＡが選択される。しかし、今回読み始める際には、一番古い１か月前に読んだページ原稿Ｐのダイジェス原稿Ｄは、情報量が一番多くなるように、最も情報量の少ないダイジェス原稿ＤＡから情報量の最も多いダイジェス原稿ＤＣへとダイジェスト原稿Ｄの入れ替えが行われ、その次に、１週間前に読んだページ原稿Ｐのダイジェス原稿Ｄは、その次に情報量が多くなるようにダイジェスト原稿ＤＣへの入れ替えが行われる。
【００６２】
これに対して、３日前に読んだページ原稿Ｐのダイジェスト原稿Ｄは、最も情報量の少ないダイジェス原稿ＤＡがそのまま表示される。
【００６３】
ところで、読書を再開したときの未読ページ原稿Ｐ（例えばページ原稿Ｐ２）と関連性の高いページ原稿Ｐ（例えばページ原稿Ｐ１）が既読ページ原稿Ｐの中にある場合は、ユーザーが読もうするページ原稿Ｐ２の内容をより分かりやすくすると便利である。そこで、読書を再開したときの未読ページ原稿Ｐ２と関連性の高いページ原稿Ｐ１については、読んだ日付に関わらず、情報量の多いダイジェスト原稿Ｄ（例えばダイジェスト原稿ＤＣ）を表示するように構成しても良い。
【００６４】
この場合、電子書籍Ｍを構成する各ページ原稿Ｐ間の関連を示す図８のようなテーブルを、記憶部１７やメモリカード１５等に予め記憶させておくことで、ユーザーが読もうするページ原稿との関連性の有無（強弱）を判断すればよい。なお、図８のテーブルでは、ページ原稿Ｐ間の関連性が強い程、数字の値を大きくしてある。例えば、第１章の１−１ページと第１章１−２ページの関連性が「５」と高い値となっており、関連性がかなり強いことが示されている。逆に、第１章１−１ページと第２章２−２の関連性が「０」となっており、関連性がないことが示されている。
【００６５】
上記のような各ページ原稿Ｐ間の関連性を考慮したダイジェスト原稿Ｄの表示を行う際に、関連性が高く、集約度の低い（情報量の多い）ダイジェスト原稿を選択する場合でも、過去に、その当該ページ原稿Ｐを実際に読んだ時間（ページ表示時間）が短い場合は、ユーザーにとってあまり多くの情報量を必要としないページ原稿Ｐと判断し、集約度の高い（情報量の少ない）ダイジェスト原稿Ｄ（例えばダイジェスト原稿ＤＡ）を採用する構成としても良い。
【００６６】
また、読者が電子書籍Ｍのページ原稿Ｐ内にマーキングを施している場合、例えば図９に示すように、ぺージ原稿Ｐの所定個所をタッチ操作等で線Ｌを引いている場合には、既存のダイジェスト原稿Ｄに代えて、あるいはダイジェスト原稿Ｄとともに、読者がマーキングを施した個所を表示部５に表示しても良い。
【００６７】
図１０は、ユーザーがダイジェスト原稿Ｄの表示をキャンセルする場合の一例を示す画面である。
【００６８】
前記ダイジェスト原稿Ｄの表示がユーザーにとって不要な場合、ユーザーの意思により、ダイジェスト原稿Ｄ表示中であっても、その表示画面ＷＤをスキップし、本編に進むことができるようになっている。
【００６９】
図１０のように、ダイジェスト原稿Ｄの表示中の画面ＷＤには、ダイジェスト表示のキャンセル手段として「スキップ」ボタンステップＳが表示されており、この「スキップ」ボタンステップＳを押下することによりダイジェスト原稿Ｄの表示を中止して、本編として前回からの続きのページ原稿Ｐを表示させることができる。
【００７０】
この実施形態では、未読ページＰ原稿もしくは、単なるページ送りの場合（前述の式で「ページを読んだか否かの判断基準」にて「否」となるような表示時間の短い場合）には、ダイジェスト原稿Ｄの表示対象外とする。例えば、ある電子書籍Ｍの第１章はページ送りのみで、実際は第２章から読み始めた場合には、第１章の各ページについてはダイジェスト原稿Ｄの表示を行わないようにする。
【００７１】
また、一度すべての内容を読み終えた電子書籍Ｍを再読する場合は、全体のダイジェスト原稿Ｄの表示を事前に確認したくなる場合がある。
【００７２】
そこで、この実施形態では、電子書籍Ｍの全ページ原稿Ｐのダイジェスト原稿Ｄを表示させることができるものとなされている。
【００７３】
その際、各ページ原稿Ｐの複数種類あるダイジェスト原稿ＤＡ，ＤＢ，ＤＣのうちでどのダイジェスト原稿Ｄを選択するかは、以下の基準に判定する。
（１）過去にその電子書籍Ｍをユーザーが読み終えた回数が多い程、ユーザーの興味・関心が高く、内容をよく覚えていると判断し、集約度の高い（情報量が少ない）ダイジェスト原稿ＤＡを採用するものとする。
（２）当該電子書籍Ｍを読み終えた日付が新しい（記憶が新鮮）程、ユーザーは内容をよく覚えている判断し、集約度の高いダイジェスト原稿ＤＡを採用するものとする。
（３）ページ原稿Ｐの表示時間が長い程、ユーザーの興味・関心が高く、内容をよく覚えていると判断し、集約度の高いダイジェスト原稿ＤＡを採用するものとする。
（４）ページ原稿Ｐ内に、ユーザーがマーキングＬした個所が存在する場合は、そのマーキングＬの個所を最優先表示項目とし、全体のダイジェスト原稿Ｄとして採用するものとする。
【００７４】
また、読み終えた電子書籍Ｍを再読する場合、電子書籍Ｍの全体を通じて未読の状態、もしくは一部のページ原稿Ｐについて未読の状態であっても、全ページのダイジェスト原稿Ｄを表示可能となっている。
【００７５】
即ち、電子書籍Ｍの読書開始操作をユーザが行った際に、ユーザーにダイジェスト原稿Ｄの表示を希望するかどうかの図１１に示す確認画面ＷＱを表示部５に表示すると共に、画面中に「はい」ボタンＹと「いいえ」ボタンＮを表示し、ユーザーが「はい」ボタンＹを押した場合に、全ページのダイジェスト原稿Ｄの表示を行うものとなされている。
【００７６】
更に、この実施形態では、電子書籍Ｍの特定セクションのみのダイジェスト原稿Ｄの表示も可能になっている。例えば第２章のみについてダイジェスト原稿Ｄを表示させることがユーザの設定操作によって可能となされている。
【００７７】
即ち、図１２のダイジェスト原稿Ｄの表示設定用画面ＷＳに示すように、電子書籍Ｍの全体についてのダイジェスト原稿Ｄの表示設定の他に、各章毎にダイジェスト原稿Ｄの表示設定を行えるように、各章毎に「はい」ボタンＹと「いいえ」ボタンＮが表示されて、いずれかを選択できるようになっている。なお、デフォルトでは、「全体」のダイジェスト原稿Ｄの表示は「はい」ボタンＹが選択された状態となっている。「全体」について「いいえ」ボタンＮを選択すると、「第１章」、・・・・「第４章」の各章について、個別に「はい」ボタンＹと「いいえ」ボタンＮの選択が可能となる。
【００７８】
「はい」ボタンＹが選択された場合、各章毎に各ページのダイジェスト原稿Ｄが表示されるが、未読ページ原稿Ｐのダイジェスト原稿Ｄについては、集約度の低い（情報量の多い）ダイジェスト原稿Ｄ（例えばダイジェスト原稿ＤＣ）が選択・表示されるものとなされている。
【００７９】
なお、各章毎ではなく、各ページ毎あるいは他の範囲毎に、ダイジェスト原稿Ｄの表示、非表示を設定可能としても良い。
【００８０】
また、電子書籍ビューワの画面にダイジェスト原稿が表示されている状態で、ユーザーが直接、ダブルクリック等の操作を行うことで、そのダイジェスト原稿に対応するページ原稿Ｐに表示を切り替えるように構成されても良いし、逆に、当該ページ原稿Ｐからダイジェスト原稿Ｄの表示画面に戻すように構成されても良い。
【符号の説明】
【００８１】
１    ＣＰＵ
５    表示部
１５  メモリカード
１７  記憶部
Ｄ（ＤＡ、ＤＢ、ＤＣ）  ダイジェスト原稿
Ｍ    電子書籍
Ｐ（Ｐ１、Ｐ２、Ｐ３）  ページ原稿
【図１】
2013003804.tif 000003
【図２】
2013003804.tif 000004
【図３】
2013003804.tif 000005
【図４】
2013003804.tif 000006
【図５】
2013003804.tif 000007
【図６】
2013003804.tif 000008
【図７】
2013003804.tif 000009
【図８】
2013003804.tif 000010
【図９】
2013003804.tif 000011
【図１０】
2013003804.tif 000012
【図１１】
2013003804.tif 000013
【図１２】
2013003804.tif 000014